(57)【要約】【課題】簡素な構成で強度を損うことなく、回路基板の誤挿入を防止できる電子装置を提供する。【解決手段】電子装置１０は、スロット２１Ａと、スロット２１Ａの正面側に配置され、スロット２１Ａの幅よりも広い幅を有する空間２３とスロット２１Ａと整列して形成された前面開口２４とを有するスロット拡張部２２とを備える筐体２０と、スロット拡張部２２の前面開口２４を経由してスロット２１Ａ内に挿入され、スロット２１Ａの幅に適合する幅を有する回路基板３０Ａとを具備し、スロット拡張部２２の前面開口２４に、スロット拡張部２２の前面開口２４から連続しスロット２１Ａの幅方向に突出する切欠き２５が形成され、回路基板３０Ａの正面側に、切欠き２５に適合する形状を有する正面部材３１Ａが形成され、正面部材３１Ａの一部は、回路基板３０Ａがスロット２１Ａ内に挿入されるとき、切欠き２５を通過しスロット拡張部２２内に挿入される形状を有する。【選択図】図１
2011129734.tif 000002
【特許請求の範囲】
【請求項１】
スロットと、該スロットの正面側に配置され、前記スロットの幅よりも広い幅を有する空間と前記スロットと整列して形成された前面開口とを有するスロット拡張部とを備える筐体と、
前記スロット拡張部の前面開口を経由して前記スロット内に挿入される、前記スロットの幅に適合する幅を有する回路基板とを具備し、
前記スロット拡張部の前面開口には、該スロット拡張部の前面開口から連続し、前記スロットの幅方向に突出する切欠きが形成され、
前記回路基板の正面側には、前記切欠きに適合する形状を有する正面部材が形成され、該正面部材の少なくとも一部は、前記回路基板が前記スロット内に挿入されるとき、前記切欠きを通過して前記スロット拡張部内に挿入される形状を有する電子装置。
【請求項２】
複数の回路基板と、対応する数のスロット及びスロット拡張部とを備えており、前記切欠き及び正面部材が、前記複数の回路基板毎に異なる位置及び大きさの少なくとも一方を有する、請求項１に記載の電子装置。
【請求項３】
前記正面部材は、前記回路基板の正面の少なくとも一部を覆う正面板と、該正面板から直角に折れ曲がり前記スロットの延在方向に延びるリブ板とを含む、請求項１又は２に記載の電子装置。
【請求項４】
前記筐体は、前記スロットの背面側に、前記回路基板のコネクタに嵌合するコネクタを有する、請求項１〜３の何れか一に記載の電子装置。
【請求項５】
前記スロットの幅方向の内面には、前記回路基板を案内する案内溝が形成されている、請求項１〜４の何れか一に記載の電子装置。
【発明の詳細な説明】
【技術分野】
【０００１】
本発明は、電子装置に関し、更に詳しくは、挿抜式の回路基板が実装された電子装置に関する。
【背景技術】
【０００２】
挿抜式の回路基板は、通信機器等に代表される電子装置の筐体（シェルフ或いはシャーシ）に、挿し抜き可能に実装される。電子装置の筐体には、回路基板が挿入されるスロットが形成されている。
【０００３】
回路基板は、コネクタを有する。筐体は、スロットの背面側に回路基板のコネクタに嵌合するコネクタを有する。電子装置では、筐体のスロットに回路基板を挿入し、更に、双方のコネクタを嵌合させることで、回路基板の実装が完了する。
【０００４】
電子装置では、一般に、複数の回路基板が筐体に実装される。筐体には、実装される回路基板の数に対応して、スロットが形成されている。複数の回路基板は、それぞれ特定のスロットに挿入されるように定められている。このため、スロットに誤った回路基板を挿入（誤挿入）すると、電子装置は、動作時に不具合を生じる可能性がある。これに対して、特許文献１〜６には、回路基板の誤挿入を防止する技術が記載されている。
【０００５】
特許文献１では、筐体のスロットの上縁部及び下縁部にかざり板を形成し、回路基板に正面部材を形成する。かざり板に設けた切欠きと、正面部材に設けた突起とを適合させることで、回路基板の誤挿入を防止している。特許文献２では、筐体に案内板を形成し、回路基板に保護ケースを形成する。案内板に形成された係合溝と、保護ケースに形成された突起である誤挿入防止用リブとを適合させることで、回路基板の誤挿入を防止している。特許文献３には、回路基板上に突起部材であるストッパを固定し、また、筐体の背面に近い側面から内側に突出した規制部材を設けることで、回路基板の誤挿入を防止する技術が記載されている。
【０００６】
特許文献４では、回路基板に正面板（表面板）を形成し、筐体に回路基板を案内するガイド溝を形成する。正面板に設けた突起と、筐体のガイド溝とを適合させることで、回路基板の誤挿入を防止している。特許文献５では、各種ケーブルを接続するためのジャックに突起を形成し、各ジャックが取り付けられる回路基板に挿入孔を形成する。各ジャックに設けた突起と、回路基板に設けた挿入孔とを適合させることで、各ジャックの誤挿入を防止している。特許文献６では、バックボード側のコネクタに設けた突起と、パッケージ側のコネクタに設けた凹部とを適合させて、パッケージの誤挿入を防止している。
【先行技術文献】
【特許文献】
【０００７】
【特許文献１】特開平０５−２５９６６３号公報
【特許文献２】実開昭６３−０５０１９１号公報
【特許文献３】特開平０４−３０４６９９号公報
【特許文献４】特開平０１−１９８０９８号公報
【特許文献５】特開２００７−０２６９７４号公報
【特許文献６】実開平０５−０１１４９０号公報
【発明の概要】
【発明が解決しようとする課題】
【０００８】
特許文献１では、正面部材の突起の面が、かざり板の切欠きの面と接触或いは干渉することで誤挿入を防止している。しかし、突起の幅が小さければ強度が弱く、数回の干渉で破損する危険性がある。また、正面部材に突起を設けることで構造が複雑になり、更に、突起を形成するための工程を追加する必要がある。
【０００９】
特許文献２では、保護ケースに形成された突起が、回路基板の奥側、即ち筐体の背面に対向する側に設けられている。このため、係合溝は、筐体の前面側から背面側まで延在させる必要があり、筐体の構造が複雑となり、加工も困難となる。また、筐体を保持する保護ケースは、形状が大きいので、筐体の大型化や重量の増加を招き、更に、筐体の通風も妨げられる。
【００１０】
特許文献３では、回路基板を筐体に挿入する際に、ストッパ及び規制部材を確認できない。このため、回路基板を案内するための案内レールから外れた状態で、回路基板が挿入される場合がある。このような場合には、ストッパが規制部材と適合しないまま、回路基板が誤挿入される虞がある。また、回路基板に、ストッパを固定するための場所と、規制部材を回避するため部品を搭載できないスペースとが必要になり、筐体の小型化が妨げられる。
【００１１】
特許文献４では、誤挿入した場合には、突起の強度が弱いと、干渉している部分が変形或いは破損する可能性がある。また、突起を設けるためのスペースも必要となり、筐体の小型化が妨げられる。特許文献５では、突起を立設することが前提となっているものの、具体的な工程ついては記載されていない。一般的に、突起を立設する場合には、棒材を打ち込む等が知られている。このため、突起が立設されるジャックのハウジング側も特別な形状を有している必要がある。
【００１２】
特許文献６では、コネクタ自体に誤挿入を防止するための突起を設けているので、仮に誤挿入されると、ピン折れ等の破損が発生する可能性がある。また、コネクタに突起を設ける具体的な工程については記載されておらず、例えば、別部材を差込んで突起とする工程や、突起の位置に合わせてコネクタの形状を加工する工程が必要になると考えられる。
【００１３】
上記のように、特許文献１〜６に記載の技術には、それぞれ構造が複雑化すること、突起形状を設けることで強度を確保できないこと、突起形状を形成するための加工工程の追加に伴って、組立て工数が増加すること、加工工程に際して使用される部品が必要になること、製造コストが増加すること等の問題があった。
【００１４】
本発明は、簡素な構成で強度を損うことなく、回路基板の誤挿入を防止できる電子装置を提供することを目的とする。
【課題を解決するための手段】
【００１５】
上記目的を達成するために、本発明は、スロットと、該スロットの正面側に配置され、前記スロットの幅よりも広い幅を有する空間と前記スロットと整列して形成された前面開口とを有するスロット拡張部とを備える筐体と、
前記スロット拡張部の前面開口を経由して前記スロット内に挿入される、前記スロットの幅に適合する幅を有する回路基板とを具備し、
前記スロット拡張部の前面開口には、該スロット拡張部の前面開口から連続し、前記スロットの幅方向に突出する切欠きが形成され、
前記回路基板の正面側には、前記切欠きに適合する形状を有する正面部材が形成され、該正面部材の少なくとも一部は、前記回路基板が前記スロット内に挿入されるとき、前記切欠きを通過して前記スロット拡張部内に挿入される形状を有する電子装置を提供する。
【発明の効果】
【００１６】
本発明の電子装置では、簡素な構成で強度を損うことなく、回路基板の誤挿入を防止できる。
【図面の簡単な説明】
【００１７】
【図１】（ａ）及び（ｂ）は、本発明の実施形態に係る電子装置の構成を示す図。
【図２】筐体に回路基板が挿入された状態の電子装置を示す斜視図。
【図３】（ａ）及び（ｂ）は、電子装置に実装される回路基板の構成を示す図。
【図４】筐体に形成された複数のスロットを示す図。
【図５】（ａ）及び（ｂ）は、他の回路基板の構成を示す図。
【図６】（ａ）及び（ｂ）は、更に他の回路基板の構成を示す図。
【発明を実施するための形態】
【００１８】
本発明の電子装置は、最小構成として、筐体と回路基板とを備える。筐体は、スロットとスロット拡張部とを有する。スロット拡張部は、スロットの正面側に配置され、スロットの幅よりも広い幅を有する空間と、スロットと整列して形成された前面開口とを有する。回路基板は、スロット拡張部の前面開口を経由してスロット内に挿入され、スロットの幅に適合する幅を有する。スロット拡張部の前面開口には、このスロット拡張部の前面開口から連続し、スロットの幅方向に突出する切欠きが形成されている。回路基板の正面側には、切欠きに適合する形状を有する正面部材が形成されている。この正面部材の少なくとも一部は、回路基板がスロット内に挿入されるとき、切欠きを通過してスロット拡張部内に挿入される形状を有する。
【００１９】
上記電子装置では、回路基板に形成された正面部材の形状が、筐体のスロット拡張部の前面開口に形成された切欠きに適合する。このため、回路基板は、正面部材の形状が前面開口の切欠きに適合する場合にのみ、筐体に実装できる。従って、筐体に回路基板が誤挿入されることを防止できる。
【００２０】
また、上記電子装置では、正面部材及び切欠きの幅方向の寸法或いは位置を調整するだけで、回路基板の誤挿入を防止できる。なお、幅方向とは、スロットの延在方向と直交する方向であって、上下方向又は左右方向の何れかをいう。ここで、正面部材は、挿抜式の回路基板に形成される通常の部材で形成でき、寸法或いは位置を調整するための加工も容易であり、構造も簡素化できる。さらに、筐体がスロット拡張部を有すること、また、切欠きと適合する正面部材の形状が幅方向の寸法或いは位置調整により形成され、突起形状とは異なることから、強度が損われることもない。
【００２１】
以下、図面を参照し、本発明の例示的な実施の形態について詳細に説明する。図１（ａ）及び（ｂ）は、本発明の実施形態に係る電子装置の構成を示す上面図及び正面図である。図２は、電子装置の構成を示す斜視図である。電子装置１０は、例えば通信機器等であって、金属から成る筐体２０と、筐体２０に挿し抜き可能に実装される挿抜式の回路基板３０Ａとを備える。筐体２０は、回路基板３０Ａが挿入されるスロット２１Ａを有する。
【００２２】
以下では、筐体２０に複数の回路基板が実装される場合を想定している。このため、筐体２０には、回路基板の数に対応した数のスロットが形成されている。図中では、筐体２０のスロット２１Ａ内に回路基板３０Ａが挿入される状態を示している。また、図３（ａ）及び（ｂ）に、回路基板３０Ａの上面及び正面を示している。
【００２３】
筐体２０は、スロット２１Ａの正面側に配置されたスロット拡張部２２を有する。スロット拡張部２２は、スロット２１Ａの幅よりも広い幅を有する空間２３と、スロット２１Ａと整列して形成された前面開口２４とを備える。また、スロット拡張部２２の前面開口２４には、この前面開口２４から連続し、スロット２１Ａの幅方向に突出した切欠き２５が形成されている。
【００２４】
回路基板３０Ａは、スロット２１Ａの幅に適合する幅を有しており、スロット拡張部２２の前面開口２４を経由して、図１（ａ）に示すように、スロット２１Ａ内に挿入される。また、回路基板３０Ａの正面側には、例えば、金属から成る正面部材３１Ａが形成されている。正面部材３１Ａは、正面板３２Ａとリブ板３３Ａとを含む。正面板３２Ａは、回路基板３０Ａの正面の少なくとも一部を覆う板状部材である。
【００２５】
リブ板３３Ａは、正面板３２Ａから直角に折れ曲がっており、スロット２１Ａの延在方向に延びている。リブ板３３Ａは、スロット拡張部２２の前面開口２４に形成された切欠き２５に適合する形状を有している。リブ板３３Ａの切欠き２５に適合する形状とは、例えば、図１（ａ）及び図３（ａ）に斜線で示した部分３４Ａを含む。
【００２６】
リブ板３３Ａの部分３４Ａは、回路基板３０Ａがスロット２１Ａ内に挿入されるとき、図１（ａ）に示すように切欠き２５を通過して、スロット拡張部２２内に挿入される。また、リブ板３３Ａは、正面板３２Ａを曲げ加工するだけで形成され、更に、部分３４Ａも寸法或いは位置調整を行うだけで形成される。
【００２７】
回路基板３０Ａには、図１（ａ）に示すように、コネクタ３５が設けられている。一方、筐体２０の背面２０ａ側には、回路基板３０Ａのコネクタ３５に嵌合するコネクタ２９が設けられている。筐体２０の側面、即ちスロット２１Ａの幅方向の内面には、図１及び図２に示すように、回路基板３０Ａを案内する案内溝２８ａが形成されている。さらに、スロット拡張部２２の前面開口２４には、切欠き２５に加えて、回路基板３０Ａを案内するための溝２８Ａが形成されている。なお、電子装置１０では、筐体２０の背面２０ａ側に回路基板３０Ａが案内され、更に、双方のコネクタ２９，３５が嵌合或いは接続することで、回路基板３０Ａの実装が完了する。
【００２８】
図２は、正面部材３１Ａのリブ板３３Ａの部分３４Ａが、スロット拡張部２２の前面開口２４の切欠き２５を通過する前の状態を示している。回路基板３０Ａは、図示のように、ネジ部３６によって正面部材３１Ａの正面板３２Ａに取り付けられている。また、正面部材３１Ａの正面板３２Ａには、例えば、作業者が回路基板３０Ａを筐体２０に挿入する際に把持する把持部３７が取り付けられている。
【００２９】
回路基板３０Ａは、スロット拡張部２２の前面開口２４に形成された溝２８Ａと、スロット２１Ａの幅方向の内面に形成された案内溝２８ａとにより、スロット２１Ａ内に案内されている。また、スロット拡張部２２の前面開口２４には、上記切欠き２５及び溝２８Ａだけでなく、図２に示すように、切欠き２６ａ，２６ｂ，２７と、溝２８Ｂ，２８Ｃとが形成されている。さらに、スロット２１Ａの幅方向の内面には、上記案内溝２８ａだけでなく、案内溝２８ｂ，２８ｃが形成されている。
【００３０】
以下、図４〜６を参照して、上記回路基板３０Ａとは異なる他の回路基板を、筐体２０に実装する例について説明する。図４は、スロット拡張部２２の前面開口２４を示す正面図である。但し、前面開口２４に形成されている上記溝２８Ａ，２８Ｂ，２８Ｃは、図示を省略している。筐体２０には、図示のように、上記回路基板３０Ａが挿入されるスロット２１Ａに加えて、スロット２１Ｂ，２１Ｃが形成されている。スロット２１Ｂ，２１Ｃには、図５、図６に示す回路基板３０Ｂ，３０Ｃがそれぞれ挿入される。
【００３１】
スロット拡張部２２の前面開口２４には、上記切欠き２５に加えて、図２及び図４に示すように、前面開口２４から連続しスロット２１Ｂの幅方向に突出する切欠き２６ａ，２６ｂと、スロット２１Ｃの幅方向に突出する切欠き２７が形成されている。切欠き２６ａ，２６ｂは、前面開口２４の両側に形成され、他の切欠き２５，２７に比べて寸法が小さく形成されている。切欠き２５，２７は、前面開口２４の片側にそれぞれ形成され、切欠き２６ａ，２６ｂに比べて寸法が大きく形成されている。
【００３２】
回路基板３０Ｂの正面側には、図５に示すように正面部材３１Ｂが形成されている。正面部材３１Ｂは、正面板３２Ｂとリブ板３３Ｂとを含む。正面板３２Ｂは、回路基板３０Ｂの正面の少なくとも一部を覆っている。リブ板３３Ｂは、正面板３２Ｂから直角に折れ曲がっており、スロット２１Ｂの延在方向に延びている。リブ板３３Ｂは、図中斜線で示した部分３４Ｂを含み、スロット拡張部２２の前面開口２４に形成された切欠き２６ａ，２６ｂに適合する。リブ板３３Ｂの部分３４Ｂは、回路基板３０Ｂがスロット２１Ｂ内に挿入されるとき、切欠き２６ａ，２６ｂを通過して、スロット拡張部２２内に挿入される。
【００３３】
回路基板３０Ｃの正面側には、図６に示すように正面部材３１Ｃが形成されている。正面部材３１Ｃは、正面板３２Ｃとリブ板３３Ｃとを含む。正面板３２Ｃは、回路基板３０Ｃの正面の少なくとも一部を覆っている。リブ板３３Ｃは、正面板３２Ｃから直角に折れ曲がっており、スロット２１Ｃの延在方向に延びている。リブ板３３Ｃは、図中斜線で示した部分３４Ｃを含み、スロット拡張部２２の前面開口２４に形成された切欠き２７に適合する。リブ板３３Ｃの部分３４Ｃは、回路基板３０Ｃがスロット２１Ｃ内に挿入されるとき、切欠き２７を通過して、スロット拡張部２２内に挿入される。
【００３４】
以下、筐体２０のスロット２１Ａ，２１Ｂ，２１Ｃに、回路基板３０Ａ，３０Ｂ，３０Ｃを挿入して実装する場合について説明する。まず、スロット２１Ａについて、切欠き２５を通過するのは、図３に示すリブ板３３Ａの部分３４Ａのみである。このため、回路基板３０Ａのみが、スロット２１Ａ内に挿入され、実装を完了できる。これに対して、回路基板３０Ｂをスロット２１Ａ内に挿入しようとすれば、リブ板３３Ｂの左側の部分３４Ｂがスロット拡張部２２の前面で止められる。このため、回路基板３０Ｂが、スロット２１Ａ内に実装されることがない。また、回路基板３０Ｃをスロット２１Ａ内に挿入しようとすれば、リブ板３３Ｃの部分３４Ｃがスロット拡張部２２の前面で止められる。このため、回路基板３０Ｃが、スロット２１Ａ内に実装されることがない。
【００３５】
次に、スロット２１Ｂについて、切欠き２６ａ，２６ｂを通過するのは、図５に示すリブ板３３Ｂの部分３４Ｂのみである。このため、回路基板３０Ｂのみが、スロット２１Ｂ内に挿入され、実装を完了できる。これに対して、回路基板３０Ａをスロット２１Ｂ内に挿入しようとすれば、リブ板３３Ａの部分３４Ａが、スロット拡張部２２の前面で止められる。このため、回路基板３０Ａは、スロット２１Ｂ内に実装されることがない。また、回路基板３０Ｃをスロット２１Ｂ内に挿入しようとすれば、リブ板３３Ｃの部分３４Ｃがスロット拡張部２２の前面で止められる。このため、回路基板３０Ｃが、スロット２１Ｂ内に実装されることがない。
【００３６】
最後に、スロット２１Ｃについて、切欠き２７を通過するのは、図６に示すリブ板３３Ｃの部分３４Ｃのみである。このため、回路基板３０Ｃのみが、スロット２１Ｃ内に挿入され、実装を完了できる。これに対して、回路基板３０Ａをスロット２１Ｃ内に挿入しようとすれば、リブ板３３Ａの部分３４Ａが、スロット拡張部２２の前面で止められる。このため、回路基板３０Ａは、スロット２１Ｃ内に実装されることがない。また、回路基板３０Ｂをスロット２１Ｃ内に挿入しようとすれば、リブ板３３Ｂの右側の部分３４Ｂがスロット拡張部２２の前面で止められる。このため、回路基板３０Ｂが、スロット２１Ｃ内に実装されることがない。
【００３７】
本実施形態では、リブ板３３Ａ，３３Ｂ，３３Ｃの部分３４Ａ，３４Ｂ，３４Ｃが、スロット拡張部２２の前面開口２４に形成された切欠き２５，２６ａ，２６ｂ，２７に適合した場合にのみ、回路基板３０Ａ，３０Ｂ，３０Ｃを筐体２０に実装できる。つまり、回路基板３０Ａ，３０Ｂ，３０Ｃの誤挿入が防止され、スロット２１Ａ，２１Ｂ，２１Ｃには、挿入されるべき回路基板３０Ａ，３０Ｂ，３０Ｃが確実に実装される。このため、電子装置１０が、動作時に不具合を生じることがない。また、リブ板３３Ａ，３３Ｂ，３３Ｃの部分３４Ａ，３４Ｂ，３４Ｃは、正面板３２Ａ，３２Ｂ，３２Ｃを折り曲げて、寸法或いは位置調整するだけで形成される。このため、加工工程が容易であり、例えば突起を設ける等、別部品を追加する必要もなく、また、突起形状とは異なり強度が強く、更には、製造コストの増加も抑えられる。また、筐体２０にスロット拡張部を形成することで、筐体２０の強度を確保できる。さらに、切欠き２５，２６ａ，２６ｂ，２７が前面開口２４に連続して形成されているので、リブ板３３Ａ，３３Ｂ，３３Ｃの部分３４Ａ，３４Ｂ，３４Ｃが適合しているか否かを視認し易い。
【００３８】
上記実施形態では、筐体２０に複数の回路基板３０Ａ，３０Ｂ，３０Ｃが実装される例を示したが、これに限定されない。即ち、回路基板が１枚だけ実装される場合であっても、スロット拡張部２２の前面開口２４に形成された切欠きと、正面部材のリブ板の位置及び大きさ（寸法）の少なくとも一方とが適合することで、回路基板の誤挿入を防止できる。
【００３９】
また、上記実施形態では、筐体２０に形成された各スロット２１Ａ，２１Ｂ，２１Ｃの間に、隔壁が配置されていない例を示したが、これに限らず、隔壁が配置された筐体であってもよい。さらに、複数の回路基板３０Ａ，３０Ｂ，３０Ｃは、筐体２０内で縦方向（上下方向）に実装したが、これに限定されない。一例として、筐体内で回路基板を横方向（左右方向）に実装してもよい。この場合には、前面開口の上縁部及び下縁部に連続して切欠きを形成したスロット拡張部を筐体に配置し、この切欠きとリブ板とを適合させることで、回路基板の誤挿入を防止できる。
【００４０】
以上、本発明をその好適な実施形態に基づいて説明したが、本発明の電子装置は、上記実施形態の構成にのみ限定されるものではなく、上記実施形態の構成から種々の修正及び変更を施したものも、本発明の範囲に含まれる。
【符号の説明】
【００４１】
１０：電子装置
２０：筐体
２０ａ：背面
２１Ａ，２１Ｂ，２１Ｃ：スロット
２２：スロット拡張部
２３：空間
２４：前面開口
２５，２６ａ，２６ｂ，２７：切欠き
２８Ａ，２８Ｂ，２８Ｃ：溝
２８ａ，２８ｂ，２８ｃ：案内溝
２９，３５：コネクタ
３０Ａ，３０Ｂ，３０Ｃ：回路基板
３１Ａ，３１Ｂ，３１Ｃ：正面部材
３２Ａ，３２Ｂ，３２Ｃ：正面板
３３Ａ，３３Ｂ，３３Ｃ：リブ板
３４Ａ，３４Ｂ，３４Ｃ：リブ板の部分
３６：ネジ部
３７：把持部
【図１】
2011129734.tif 000003
【図２】
2011129734.tif 000004
【図３】
2011129734.tif 000005
【図４】
2011129734.tif 000006
【図５】
2011129734.tif 000007
【図６】
2011129734.tif 000008